(57)【要約】【課題】使用後の磁気ディスク記憶装置に記憶されているデータを短時間かつ簡単に消去し、データの漏洩を防止する方法及び装置を提供せんとするものである。【解決手段】Ｌ字状に配置された下側磁極と横側磁極の間に向きが周期的に変化する磁力を発生させ、該磁力の向きと収納されているディスクの記録面が並行するように消去対象磁気ディスク記憶装置を下側磁極と横側磁極の間に配置して、磁気ディスク記憶装置に磁力を与え、記録されたデータを消去するようにしたことを特徴とする。【選択図】  図１
2004253024.tif 000002
【特許請求の範囲】
【請求項１】
Ｌ字状に配置された下側磁極と横側磁極の間に向きが周期的に変化する磁力を発生させ、該磁力の向きと収納されているディスクの記録面が並行するように消去対象磁気ディスク記憶装置を下側磁極と横側磁極の間に配置して、磁気ディスク記憶装置に磁力を与え、記録されたデータを消去するようにしたことを特徴とする磁気ディスク記憶装置のデータ消去方法。
【請求項２】
磁力を周期的に発生・停止を繰り返すようにしたことを特徴とする請求項１記載の磁気ディスク記憶装置のデータ消去方法。
【請求項３】
消去対象となる磁気ディスク記憶装置に駆動用電流を供給し、該装置内に収納されたディスクを回転状態とすることを特徴とする請求項１又は２のいずれかに記載の磁気ディスク記憶装置のデータ消去方法。
【請求項４】
消去対象となる磁気ディスク記憶装置内に収納されたディスクが横側磁極の幅方向中央に位置するように、磁気ディスク記憶装置の配置位置を調整するようにしたことを特徴とする請求項１乃至３のいずれかに記載の磁気ディスク記憶装置のデータ消去方法。
【請求項５】
Ｌ字状に配置されたコイルを巻回した下側磁極及び横側磁極からなる磁力発生装置と、該磁力発生装置に交流の電力を供給する回路とを備えていることを特徴とする磁気ディスク記憶装置のデータ消去装置。
【請求項６】
磁力発生装置に供給する電力を周期的に通電・遮断するためのオンタイマー及びオフタイマーを備えていることを特徴とする請求項５記載の磁気ディスク記憶装置のデータ消去装置。
【請求項７】
消去対象磁気ディスク記憶装置に駆動用の電力を供給するためのサブ電源を備えていることを特徴とする請求項５又は６のいずれかに記載の磁気ディスク記憶装置のデータ消去装置。
【請求項８】
横側磁極の両側に、消去対象磁気ディスク記憶装置を容易に磁力中に配置できるようにするためのガイドを備えたことを特徴とする請求項５乃至７のいずれかに記載の磁気ディスク記憶装置のデータ消去装置。
【発明の詳細な説明】
【０００１】
【発明の属する技術分野】
本発明は、磁気ディスク記憶装置に交流電流により生成された磁力を与え、記憶されたデータを消去する方法及び装置に関する。
【０００２】
【従来の技術】
従来、企業や個人で使用した磁気ディスク記憶装置（以下単にＨＤＤという）を廃棄する時は、記憶された情報を第三者に知られないようにするために、コンピュータに接続した状態でオペレーティングシステムからフォーマット処理をして記録されている情報を消去してから廃棄していた。しかしながら、このオペレーティングシステムによるフォーマットでは、ＨＤＤに収納されている磁気ディスクのうち、データの配置等を管理している管理領域のみを消去し、見かけ上データが消去されているようにするのみで、実際のデータはディスク上に残されているため、ＨＤＤ解析ソフトウェア等を利用してディスク上に残されているデータが解析され、機密文書等が漏洩するという問題が発生している。
【０００３】
そこで、上記の問題点を解決するべく、例えば実用新案登録第３０８３６８３号や特開平５−２５０６０６号に示されるような装置を用い、ＨＤＤに外部から強力な磁力を与え、ディスクに記録されている情報を消去する方法が提案されている。これらは直流電流により生成された磁力を用いて、ＨＤＤに収納されている磁気ディスクの表面に塗布されている微少の磁性体の向きを全て一定の方向に揃え、データを完全に消去するというものである。しかしながら、このような装置を用いた場合、強力な磁力が必要となるため、大量の電力を消費する必要があった。
【０００４】
ディスク上には、前述のようにデータを保存する領域とデータの配置を管理する管理領域とがあるが、これとは別に通常は一切使用することのできない特殊領域があり、これはＨＤＤが生産された際に機械的に形成される。この特殊領域はＨＤＤを初期化する際に必ず必要な目印となる領域であり、この領域にアクセス不能な箇所があればそのディスクは初期化することが出来ない。直流電流により生成された磁力をＨＤＤに与えた場合、この特殊領域を含む全ての領域において、ディスク上の磁性体が同一の向きに揃えられてしまい、いかなる方法をもってしても、ＨＤＤを再生することは出来ないという問題がある。
【０００５】
又、直流電流により生成された磁力により消去を行うには、記憶装置の記憶容量に比例して、すなわち、磁性体を構成する鉄粉等の微少粒子の大きさに反比例して磁界の強度を大きくしなければならない。よって、昨今のように記憶容量の大きなＨＤＤが出現するたびに発生させる磁界の強度を大きくする必要があり、機械の大型化及び電力消費量の増大が問題となる。
【０００６】
【特許文献】
登録実用新案第３０８３６８３号公報
【特許文献】
特開平５−２５０６０６号公報
【０００７】
【発明が解決しようとする課題】
この発明は、使用後の磁気ディスク記憶装置に記憶されているデータを短時間かつ簡単に消去し、データの漏洩を防止する方法及び装置を提供せんとするものである。
【０００８】
【課題を解決するための手段】
上記課題を解決するためにこの発明が採った手段は、Ｌ字状に配置された下側磁極と横側磁極の間に向きが周期的に変化する磁力を発生させ、該磁力の向きと収納されているディスクの記録面が並行するように消去対象磁気ディスク記憶装置を下側磁極と横側磁極の間に配置して、磁気ディスク記憶装置に磁力を与え、記録されたデータを消去するようにしたことを特徴とする。
【０００９】
又、磁力を周期的に発生・停止を繰り返すようにしたことを特徴とする。
【００１０】
更に、消去対象となる磁気ディスク記憶装置に駆動用電流を供給し、該装置内に収納されたディスクを回転状態とすることを特徴とする。
【００１１】
更に、消去対象となる磁気ディスク記憶装置内に収納されたディスクが横側磁極の幅方向中央に位置するように、磁気ディスク記憶装置の配置位置を調整するようにしたことを特徴とする。
【００１２】
Ｌ字状に配置されたコイルを巻回した下側磁極及び横側磁極からなる磁力発生装置と、該磁力発生装置に交流の電力を供給する回路とを備えていることを特徴とする。
【００１３】
磁力発生装置に供給する電力を周期的に通電・遮断するためのオンタイマー及びオフタイマーを備えていることを特徴とする。
【００１４】
消去対象磁気ディスク記憶装置に駆動用の電力を供給するためのサブ電源を備えていることを特徴とする。
【００１５】
横側磁極の両側に、消去対象磁気ディスク記憶装置を容易に磁力中に配置できるようにするためのガイドを備えたことを特徴とする。
【００１６】
【発明の実施の形態】
以下、図面を参照しつつ本願発明による磁気ディスク記憶装置の消去方法について詳細に説明する。図１は本願システムの装置の回路図であり、（１）は下側磁極（２）、横側磁極（３）をＬ字状に配置した磁力発生装置であり、下側磁極（２）にはコイル（４）が巻回されている。コイル（４）へ供給される電流は家庭用電源等から供給される交流電流である。（５）はメインスイッチであり、装置への電源供給のオン・オフ制御を行う。（６）はメインタイマーでコイル（４）への電流供給の総時間を調整する。メインタイマー（６）にはオンタイマー（８）、オフタイマー（９）が接続されており、コイルへの電源からの電流の供給をオン・オフするマグネットスイッチ（１０）の動作を調整する。又、メインタイマー（６）にはスタートスイッチ（７）が接続されている。尚、磁界発生装置（１）の形状については、図２に示すようにコイル（４）を下側磁極に巻回するものとは別に、図３に示すような、Ｌ字状のコアを有し、下側・横側の両磁極間にコイルを巻回したものであっても良い。
【００１７】
消去対象となるＨＤＤ（１４）は図２に示すようにＬ字状に配置されている下側磁極（２）及び横側磁極（３）の間に発生する磁力線（１６）がＨＤＤ（１４）内に収納されたディスク（１５）の記録面と平行になるように磁極間に配置する。又、同時にＨＤＤの電源供給用コネクタ部に、回路中に組み込まれたサブ電源（１１）から供給されるＨＤＤ駆動用電源をコネクタ（１３）を接続し、ＨＤＤに電力が供給されるようにする。
【００１８】
次にメインスイッチ（５）を入れることにより、メインタイマー（６）及びサブ電源（１１）へ電力が供給され、コイル冷却用のファン（１２）及びＨＤＤ（１４）に電力が供給されそれぞれ稼働状態となる。尚、メインタイマー（６）はスタートスイッチ（７）が押されるまで動作しないので、この段階ではコイル（４）には電力が供給されず磁力は発生しない。
【００１９】
スタートスイッチ（７）を入れるとメインタイマー（６）が作動を開始し、あらかじめ設定されている時間だけオンタイマー（８）、オフタイマー（９）へ電力を供給する。オンタイマー（８）とオフタイマー（９）は交互に決められた時間づつ稼働をし、オンタイマー（８）が稼働中はマグネットスイッチ（１０）が通電状態になりコイル（４）への電力供給を行うようになっている。オンタイマー（８）の稼働時間が終了するとオフタイマー（９）が稼働を開始し、マグネットスイッチ（１０）が非通電状態となりコイルへの電力供給が停止される。図示の例ではメインタイマーの稼働時間を４０秒、この間に稼働するオンタイマーを４秒、オフタイマーを３秒としているが特にこの時間に限定される訳ではなく、任意の動作時間に設定可能である。コイルへの電力供給を断続的に繰り返すのは、ディスク（１５）の表面に塗布されている磁性体への磁力付与効果を高め、又、磁性体がもとの向きに反転してしまうのを防止するためである。すなわち磁性体の向きの変化を安定させ、データの消去を高める効果がある。
【００２０】
オンタイマー（８）により通電状態となったコイル（４）は、図２に示すように下側磁極（２）、横側磁極（３）間に両磁極間を円弧状に結ぶ磁力（１６）が生成される。生成された磁力は磁極間に磁性体等の磁化する性質を有する物質が存在すればその物質に磁力の影響を与えつつ通り道として他方の磁極に流れようとする性質がある。この場合ディスク（１５）の表面に塗布された磁性体がその役目を果たす。尚、流れ道となる磁性体の量によって流れる磁力の量も変化し、磁極間に多くの磁性体が存在すれば多くの磁力が流れる。本願の場合ディスク（１５）の表面に塗布された磁性体のうち、円周方向の４分の１程度の距離に存在する磁性体が磁力の流れ道となるので、磁極間に多量の磁力が流れる。従来の装置においては磁力の向きと直交する方向にディスクを配置しているため磁力の通り道となる磁力の量はディスク表面に塗布された厚み分の磁性体しかないので、磁力間に流れる磁力の量は少なくなり磁性体が受ける影響も少なくなる。又、磁力がたくさん流れるので少ない時間で磁性体に影響を与えることができ、磁力を発生させる為の電力を減らすことも出来る。
【００２１】
コイル（４）には交流の電流が流れているため、磁力（１６）の向きは絶えず変化が生じる。よって、磁力を受けたディスク上の磁性体は直流の電流により発生させた一方向にのみ発生する磁力を受けた場合と異なり、全ての磁性体が一定の方向を向いてしまうことがなく、見かけ上、磁性体が撹拌されたような状態となる。
【００２２】
下側・横側の両磁極間に生成される磁力は両磁極の頂部を結ぶ円弧線がもっとも強いため、ＨＤＤ（１４）の左下部分はあまり磁力の影響を受けない。しかしながらＨＤＤ（１４）には駆動電力をコネクタ（１３）より供給しディスク（１５）を回転させているので、ディスク（１５）上の全ての磁性体は前記の強い磁力内を通過することが出来、一部の磁性体だけが磁力の影響を受けずにデータが残ってしまうということがない。
【００２３】
図３はＨＤＤをセットした状態を上方からみた図である。横側磁極の両側にはガイド（１７）が設けられており、消去対象となるＨＤＤの転倒防止及び位置決めを容易に行えるようになっている。図３に示すように、横側磁極（３）は両側のガイド（１７）の中央には位置しておらず、一方のガイド側へ寄せて備え付けられている。ＨＤＤは筐体内にディスクと制御基盤が重ねて納められているので、ディスクは筐体内のいずれか片側に寄せられた構造となっている。又、磁極に厚みがある場合、発生する磁力は磁極の中央付近がもっとも強く、外側中心より離れるに従って徐々に弱くなる。よって、ディスクにもっとも効率よく磁力を与えるためにこのように、ガイド間中心より偏位させて横側磁極を備え付けている。尚、下側磁極は横側磁極と垂直となる位置にあるため、下側磁極についてもガイド中心より偏位した位置に備え付けられている。
【００２４】
図４は本願装置を用いてデータの消去を行ったディスク表面の一部を拡大したものであり、図４（ａ）はデータ消去前を、図４（ｂ）は消去後である。横方向にのびる帯状部がトラックと呼ばれるもので、１本のトラック上の磁性体を一方から他方へ順に磁化させて直線的にデータを配置されていく。尚詳細な記録方法については省略する。黄色又は緑色に見えるのは磁性体の向きを視覚でとらえられるように特殊な処理を施した結果であり、図４（ａ）の左上に存在する５本の同色の帯状部、中央やや左よりの４本の帯状部、中央下の３本の帯状部が各々データが書き込まれている状態である。図４（ｂ）は消去作業後のディスク表面であるが、（ａ）において存在していた帯状部が消滅しているのが確認できる。
【００２５】
図５は従来より用いられている直流電流により生成された磁力を用いて消去を行ったディスク表面を示す。図より判明するように、ディスクに与えられた磁力の向きに変化がないため磁性体は全て同一の方向となっているのが確認できる。帯状のトラックを確認することが出来ないばかりでなく、データ領域、管理領域及び工場生産時に形成された初期化時に必要な特殊領域についても各々の領域の境界を判別出来なるなるほど磁性体が一方に向いている
【００２６】
これに対し、本装置によるデータ消去を行った場合には、図４（ｂ）からも明らかなように交流電流により生成された磁力を用いているため、磁性体が受ける磁力の向きが絶えず変化しているので、図５のように全ての磁性体が同一の向きとならず、磁性体がいろいろな方向に向いていることが確認できる。トラックについても、トラックとトラックの境界を確認することが出来る。同様に、図示していないが管理領域及び特殊領域についても、境界部は磁力の影響を受けていないため各領域の存在を確認することもできる。
【００２７】
さて、交流電流による磁力を用いたとしても、一定時間経過後は磁力生成を止める訳であるので最後の磁力の向きにディスク表面に塗布された磁性体が揃ってしまいそうであるが、磁性体はそのその大きさに比例して、外部から与えられた磁力によって向きを変える時間が異なる。ディスク表面に塗布されている磁性体は微少な鉄粉等の粒子の集まりであるが、その大きさは完全に同一ではなく微妙に異なる大きさであるので、一定の磁力で各々の粒子が向きを変化させるのに時間のズレが生じ、結果的に全ての粒子が同一の方向に向くことはなく、図４（ｂ）に示すように、磁性体がバラバラの方向を向くこととなる。
【００２８】
【発明の効果】
本発明によれば、使用済となった磁気ディスク記憶装置又は磁気ディスク媒体に記録されたデータを、短時間かつ確実に消去することが出来、廃棄処分とした後に例え第三者へ渡ったとしても記録されていたデータが漏洩する心配がない。
【図面の簡単な説明】
【図１】本願発明の回路を示す図
【図２】磁極間に発生する磁力を示す図
【図３】磁力発生装置の他の形状を示す図
【図４】磁極と磁気ディスク記憶装置の関係を示す図
【図５】ディスク上の磁性体の状態を示す図
【図６】従来の装置により消去作業が行われたディスク表面の磁性体の状態を示す図
【符号の説明】
（１）磁力発生装置
（２）下側磁極
（３）横側磁極
（４）コイル
（５）メインスイッチ
（６）メインタイマー
（７）スタートスイッチ
（８）オンタイマー
（９）オフタイマー
（１０）マグネットスイッチ
（１１）サブ電源
（１２）ファン
（１３）電源コネクタ
（１４）磁気ディスク記憶装置
（１５）ディスク
（１６）磁力
（１７）ガイド
【図１】
2004253024.tif 000003
【図２】
2004253024.tif 000004
【図３】
2004253024.tif 000005
【図４】
2004253024.tif 000006
【図５】
2004253024.tif 000007
【図６】
2004253024.tif 000008